(57)【要約】【課題】留め具間の結合を解くためのノックアウト棒を組み込むなどの必要がなく、留め具間を連結したりその連結を外したりするのが容易な身飾具を提供する。【解決手段】対をなす留め具２，３が磁気吸着により連結されることにより全体がループ状となるものである。一方の留め具２は、磁性材料より成る薄板状の留め片２０に突片２１が外向きに一体形成されている。他方の留め具３は、裏側に平坦な保持面３２を有し、その保持面３２に留め片２０の全体が嵌る凹部３３が形成され、その凹部３３の底に留め片２０を磁気吸着するための永久磁石５が埋設されている。突片２１は、留め片２０が凹部３３内に嵌った状態のときに凹部３３内より突出する立ち上がり部２１ａを有し、突片２１の先端部を押下したとき、留め片２０が凹部３３内より起き上がるように立ち上がり部２１ａの基端部分が支点６を構成するようになっている。【選択図】図１０
2014233355.tif 000002
【特許請求の範囲】
【請求項１】
対をなす留め具が磁気吸着により連結されることにより全体がループ状となる身飾具において、一方の１留め具は、磁性材料より成る薄板状の留め片に押操作用の突片が外向きに一体形成され、他方の留め具は、裏側に平坦な保持面を有し、その保持面に前記留め片の全体が嵌る凹部が形成されるとともに、その凹部の底に前記留め片を磁気吸着するための永久磁石が埋設されており、前記突片は、留め片が凹部内に嵌った状態のときに凹部内より突出する立ち上がり部を有し、前記突片の先端部を押下したとき、留め片が凹部内より起き上がるように前記立ち上がり部の基端部分が支点を構成するようになっている身飾具。
【請求項２】
前記凹部は、留め片が嵌った状態のとき、その周壁部に留め片の外周縁が当接するように、留め片の外形に一致する輪郭形状に形成されるとともに、前記凹部の周壁部は、突片の位置で切除されて凹部が開放されている請求項１に記載された身飾具。
【請求項３】
前記対をなす留め具は、紐状体または帯状体の両端部にそれぞれ取り付けられており、永久磁石が埋設された側の留め具は、表側が装飾面、裏側が前記保持面となっている請求項１に記載された身飾具。
【発明の詳細な説明】
【技術分野】
【０００１】
この発明は、ブレスレット、ネックレス、ベルトなどのように、対をなす留め具を連結することにより全体がループ状となる身飾具に関するもので、この発明は特に、磁気吸着によって留め具間の連結を行うようにした身飾具に関する。
【背景技術】
【０００２】
例えば、ブレスレットやネックレスのような身飾具は、図１１に示すように、紐状体８の両端部を留め具８１，８２を介して連結することにより身体に装着することが可能なループ形状となる。一方の留め具８１は開閉機構８３を有するフック８４により構成され、他方の留め具８２は孔８５を有する金属製の留め板８６により構成されている。ブレスレットでは、手首の周囲に、ネックレスでは首の周囲に、それぞれ紐状体８を周回させた後、開閉機構８３を開いた状態にしてフック８４を留め板８６の孔８５に引っ掛けるようにして連結する。
【０００３】
ところが、ブレスレットの場合は、片手でフック８４と留め板８６とを連結したりその連結を外したりする必要があり、また、ネックレスの場合は首の背後の見えないところでフック８４と留め板８６とを連結したりその連結を外したりする必要があり、身体に対する身飾具の着脱が容易でないという問題がある。
【０００４】
この問題を解消するために、図１２に示すように、対をなす留め具９１，９２間を永久磁石９３の磁気吸引力を利用して連結する構造のものが提案された（例えば、特許文献１参照）。図示のものにおいては、一方の留め具９１は保持体９４に磁性体キャップ９５を配置した構造であり、他方の留め具９２は保持体９６に金属カバー９７が被せられた永久磁石９３を配置した構造であり、磁性体キャップ９５と金属カバー９７とを対向させることで留め具９１，９２間を磁気吸着により結合可能としている。
【先行技術文献】
【特許文献】
【０００５】
【特許文献１】特許第４１７７５７５号公報
【発明の概要】
【発明が解決しようとする課題】
【０００６】
磁気吸着により留め具９１，９２間を連結する上記の方式では、磁気吸引力が小さいと、留め具９１，９２間の連結が簡単に外れて身飾具が身体より脱落するおそれがあるため、磁気吸引力を十分に大きく設定する必要がある。しかし、磁気吸引力が大きいと、留め具９１，９２間の結合が強く、身飾具を身体より容易に外すことができない。そこで、特許文献１に記載されたものでは、磁性体キャップ９５の空間の一部に、留め具９１，９２間の結合を解くためのノックアウト棒９８を組み込んでいるが、これがため、構造の複雑化とコスト高とを招いている。
【０００７】
この発明は、上記の問題に着目してなされたもので、留め具間の結合を解くためのノックアウト棒を組み込むなどの必要がなく、留め具間を連結したりその連結を外したりするのが容易な身飾具を提供することを目的とする。
【課題を解決するための手段】
【０００８】
この発明による身飾具は、対をなす留め具が磁気吸着により連結されることにより全体がループ状となるものである。一方の留め具は、磁性材料より成る薄板状の留め片に押操作用の突片が外向きに一体形成されている。他方の留め具は、裏側に平坦な保持面を有し、その保持面に前記留め片の全体が嵌る凹部が形成されるとともに、その凹部の底に前記留め片を磁気吸着するための永久磁石が埋設されている。前記突片は、留め片が凹部内に嵌った状態のときに凹部内より突出する立ち上がり部を有し、前記突片の先端部を押下したとき、留め片が凹部内より起き上がるように前記立ち上がり部の基端部分が支点を構成するようになっている。
【０００９】
この発明による身飾具を身体に装着する場合、一方の留め具を構成している留め片を他方の留め具の裏側の保持面に近づけると、永久磁石の磁気吸引力が留め片に作用し、留め片は保持面に磁気吸着される。留め片が凹部に嵌っていなければ、留め片を保持面に沿って移動させて凹部に嵌め込む。留め片が凹部に嵌まると、磁気吸着により留め具間が強固に連結され、留め具間を引き離す方向の外力が作用しても、留め片の移動や離反が阻止され、留め具間の連結が外れることはない。
身飾具を身体より外す場合は突片の先端部を押下する。これにより、立ち上がり部の基端部分が支点となって留め片を凹部内より起き上がらせるモーメントが作用するので、留め具間の連結を容易に外すことができる。
【００１０】
この発明の好ましい実施態様においては、前記凹部は、留め片が嵌った状態のとき、その周壁部に留め片の外周縁が当接するように、留め片の外形に一致する輪郭形状に形成されるとともに、前記凹部の周壁部は、突片の位置で切除されて凹部が開放されている。
この実施態様によると、突片の先端部を押下すると、突片は周壁部が開放された部分において深く押し下げられるので、留め片を凹部内より高く起き上がらせることができ、留め具間の連結を確実に外すことができる。
【００１１】
好ましい実施態様の身飾具では、前記対をなす留め具は、紐状体または帯状体の両端部にそれぞれ取り付けられているが、対をなす留め具が磁気吸着により連結されることにより全体がループ状となるものであれば、留め具の取付位置は必ずしも紐状体または帯状体の両端部である必要はない。
また、好ましい実施態様においては、永久磁石が埋設された側の留め具は、表側が装飾面、裏側が前記保持面となっており、これにより留め具が装飾体を兼ねているが、留め具とは別に装飾体を設けてもよい。
【発明の効果】
【００１２】
この発明によれば、一方の留め具を構成する留め片に一体形成された突片を押し下げることで留め片を他方の留め具に形成された凹部内より起き上がらせるようにしたので、たとえ片手であっても、或いは、首の背後のような見えないところであっても、留め具間の結合を容易に解くことができる。また、留め具間の結合を解くためのノックアウト棒を組み込むなどの必要がないから、構造の複雑化とコスト高とを招くおそれもない。
【図面の簡単な説明】
【００１３】
【図１】この発明の一実施例であるブレスレットの全体構成を示す正面図である。
【図２】対をなす留め具間を連結した状態を示す正面図である。
【図３】図２の平面図である。
【図４】図２の底面図である。
【図５】図２の右側面図である。
【図６】第２の留め具の凹部を示す底面図である。
【図７】第１の留め具を示す平面図である。
【図８】第１の留め具を示す正面図である。
【図９】図４のＡ−Ａ線に沿う断面図である。
【図１０】図４のＢ−Ｂ線に沿う断面図である。
【図１１】従来例の平面図である。
【図１２】永久磁石が用いられた従来例の断面図である。
【発明を実施するための形態】
【００１４】
図１は、この発明の一実施例であるブレスレット１の全体構成を示すもので、対をなす留め具２，３を上下に重ねるように連結して構成される装飾体１０と、その装飾体１０が手首の所望位置に定位させるようにして手首の周囲に巻き付けられる紐状体４とで構成されている。なお、この発明は、対をなす留め具２，３が連結されることで全体がループ状となるものであれば、ブレスレット以外の身飾具、例えばネックレス、ベルトなどにも適用できる。
【００１５】
この実施例のブレスレット１は、一方の留め具（以下「第１の留め具」という。）２が紐状体４の一端部に、他方の留め具（以下「第２の留め具」という。）３が紐状体４の他端部に、それぞれ取り付けられている。なお、各留め具２，３は、互いに連結することで全体がループ状となるものであれば、その取付位置は必ずしも紐状体４の両端部である必要はない。
また、この実施例では、第２の留め具３の表側の面に装飾を施して装飾面３１とすることにより、一体に連結された留め具２，３が装飾体１０を兼ねるようにしているが、留め具２，３とは別に装飾体を設けることもできる。また、紐状体４に代えて、適所に装飾が施された帯状体を用いることで、その帯状体が装飾体を兼ねるようにしてもよい。
【００１６】
図２〜図５は、第２の留め具３に対して第１の留め具２が磁気吸着によって上下に重ねるようにして連結された状態を示している。第１の留め具２は、図７および図８に示すように、磁性材料より成る薄板状の留め片２０により構成されている。図示例の留め片２０は、均一の厚みｔを有し、平面形状がほぼ菱形形状に形成されている。なお、留め片２０は、その平面形状が菱形形状に限らず、正方形や円形などであってもよい。
【００１７】
留め片２０の一端部（図示例では菱形の角部）には、留め片２０の幅ｗ１より小さな幅ｗ２の押操作用の突片８が外向きに一体形成されている。この突片２１は、留め片２０の上面に対して斜め上方へ所定の高さｈだけ立ち上がるように屈曲形成された立ち上がり部２１ａと、この立ち上がり部２１ａの先端側に留め片２０と平行をなすように屈曲形成された操作部２１ｂとを一連に備えたものであり、操作部２１ｂには前記紐状体４を通すための円形の紐通し孔２１ｃが形成されている。
【００１８】
第２の留め具３は、直方体形状をなす金属製の本体部３０の一端部に紐状体４を結び付けるための紐通し孔３９が一体形成されたもので、全体に金メッキが施されている。図３に示された本体部３０の表側が装飾面３１、図４に示された本体部３０の裏側が第１の留め具３を保持するための平坦な保持面３２となっている。図示していないが、本体部３０の装飾面３１には、図柄を彫り込んだり装飾用の飾り玉を付着させたりするなどして装飾が施されている。
【００１９】
前記保持面３２には、図６に示すような一定深さの菱形形状の凹部３３が形成されている。この凹部３３に第１の留め具２である留め片２０の全体が嵌るようになっている。図９および図１０に示すように、凹部３３の深さｄと留め片２０の厚みｔとは一致させてあり、凹部３３に留め片２０が嵌った状態では、留め片２０の上面と本体部３０の保持面３２とが同一平面上に揃う。
【００２０】
また、凹部３３は、留め片２０が嵌った状態のとき、図４、図９、図１０に示すように、凹部３３の周壁部３４に留め片２０の外周縁が当接するように、留め片２０の外形に一致する大きさの輪郭形状に形成されている。留め片２０が凹部３３に嵌まると、留め具２，３を引き離す方向の外力が作用しても、留め片２０の移動や離反が阻止され、留め具２，３間の連結が外れることはない。
【００２１】
また、留め片２０が凹部３３内に嵌った状態のとき、図１０に示すように、前記突片２１は、立ち上がり部２１ａが凹部３３内より突き出るもので、突片２１の先端部の操作部２１ｂを押下したとき、図中、一点鎖線で示すように、留め片２０を凹部３３内より起き上がらせるモーメントが働くように前記立ち上がり部２１ａの基端部分が支点６を構成するようになっている。
【００２２】
前記凹部３３の周壁部３４は、図４および図６に示すように、前記突片２１の位置で切除されて凹部３３が開放されている。この開放部分３５の底面は凹部３３の底面と連続している。この実施態様によると、突片２１の操作部２１ｂを押下すると、突片２１は周壁部３４の開放部分３５において深く押し下げられるので、その分、留め片２０を凹部３３内より高く起き上がらせることができ、留め具２，３間の連結を確実に外すことができる。
【００２３】
凹部３３の底面には円形の窪み３６が形成されており、この窪み３６に前記留め片２０を磁気吸着するための円板状の永久磁石５が埋設されている。永久磁石５は、ステンレスなどの金属製の保護カバーにより覆われており、窪み３６に嵌め込まれた状態のとき、永久磁石５の保護カバーが凹部３３の底面上に露出している。
【００２４】
上記した構成のブレスレット１を手首に装着する場合、第１の留め具２を構成している留め片２０を第２の留め具３の本体部３０の裏側の保持面３２に近づけると、永久磁石５の磁気吸引力が留め片２０に作用し、留め片２０は保持面３２に磁気吸着される。留め片２０が第２の留め具２の凹部３３に嵌っていなければ、留め片２０を保持面３２に沿って移動させて凹部３３に嵌め込む。留め片２０が凹部３３に嵌まると、磁気吸着により留め具２，３間が強固に連結され、留め具２，３間を引き離す方向の外力が作用しても、留め片２０の移動や離反が阻止され、留め具２，３間の連結が外れることはない。
【００２５】
ブレスレット１を手首より外す場合は突片２１の操作部２１ｂを押下する。これにより、立ち上がり部２１ａの基端部分が支点６となって留め片２０を凹部３３内より起き上がらせるモーメントが作用するので、留め具２，３間の連結を容易に外すことができる。この実施例では、突片２１の操作部２１ｂを押下すると、突片２１は周壁部３４の開放部分３５において深く押し下げられるので、留め片２０を凹部３３内より高く起き上がらせることができ、留め具２，３間の連結を確実に外すことができる。
【符号の説明】
【００２６】
１    ブレスレット
２，３  留め具
４    紐状体
５    永久磁石
６    支点
２０  留め片
２１  突片
２１ａ  立ち上がり部
３１  装飾面
３２  保持面
３３  凹部
３５  開放部分
【図１】
2014233355.tif 000003
【図２】
2014233355.tif 000004
【図３】
2014233355.tif 000005
【図４】
2014233355.tif 000006
【図５】
2014233355.tif 000007
【図６】
2014233355.tif 000008
【図７】
2014233355.tif 000009
【図８】
2014233355.tif 000010
【図９】
2014233355.tif 000011
【図１０】
2014233355.tif 000012
【図１１】
2014233355.tif 000013
【図１２】
2014233355.tif 000014